(57)【要約】【課題】本発明は建物内の排水を屋外へ排出する排水管を簡単かつ容易な作業で行なうことを課題とする。【解決手段】建物床下基礎コンクリート層１３に埋設されているさや管１５内に排水管１２を挿通するが、該さや管１５内において該排水管１２の外寄り部分を可撓管１２Ａとし、内寄り部分は切断して長さ調節することが容易な直管１２Ｂとし、可撓管１２Ａの屋外側端は屋外側ソケット１６を介して螺着した位置決めナット２４によって位置決め固定する。【選択図】図１
2011038397.tif 000002
【特許請求の範囲】
【請求項１】
建物床下基礎コンクリート層を貫通して建物内部の排水設備からの排水を建物外部に排出する排水管配管構造であって、該排水管の該基礎コンクリート層を貫通する部分はさや管内に挿通されており、該さや管は建物外側開口端から上方に弯曲して建物内側開口端が該基礎コンクリート上面に開口した状態に設定されており、該さや管内において該排水管の外寄り部分は可撓管で構成されており、該可撓管の内端には屋内側ソケットを介して直管が接続されており、更に該直管には継手を介して屋内排水管が接続されており、該可撓管の外端には屋外側ソケットを介して屋外排水管が接続されていることを特徴とする建物の排水管配管構造。
【発明の詳細な説明】
【技術分野】
【０００１】
本発明は、建物の排水管の配管構造および該配管構造の施工方法に関するものである。
【背景技術】
【０００２】
建物の排水管配管構造にあっては、図７および図８に示すように、敷地１内の建物２の各排水設備３，４，５，６からの排水枝管７，８，９，１０を建物２床下に設置されている集水ます１１に集め、該集水ます１１から１本の排水管１２を差出し、該配水管１２を建物２の床下基礎コンクリート１３層を貫通させ、敷地１外の公共ます１４に接続する。
【０００３】
従来から該配水管１２の建物床下基礎コンクリート１３層を貫通する部分は可撓管１２Ａとし、該可撓管１２Ａを保護するために該可撓管１２Ａをさや管１５内に挿通する構成が提供されている（例えば特許引用文献１〜２参照）。
【先行技術文献】
【特許文献】
【０００４】
【特許文献１】特許第３５９２６５８号公報
【特許文献２】特許第３５９５７６１号公報
【発明の概要】
【発明が解決しようとする課題】
【０００５】
上記従来の構成では、さや管１５の全長にわたって可撓管１２Ａを挿通しなければならないので、可撓管１２Ａの屋外側にシールリングを装着して屋内側から挿通する際、挿通作業中に該可撓管１２Ａが弯曲したり折曲ったりするおそれがあること、可撓管１２Ａを屋外側から挿通する際には、シールリングが外れやすいこと、該可撓管１２Ａを所定長に切断するには通常可撓管１２Ａの凹溝に沿って切断するが、そのためにガイド付切断具等の特殊な器具が必要であり、切断作業に手間がかかること、可撓管１２Ａの屋内側端はさや管１５内から外出しており不安定なため、該さや管１５の内側端にソケット１７を介して屋内側排水管１２を接続する作業も困難であること、塩ビ製の排水管１２との接続は通常の接着接合ではなく、特殊なソケット１７が別途必要となること等の問題点があった。
【課題を解決するための手段】
【０００６】
本発明は上記従来の課題を解決し、建物床下基礎コンクリート層１３を貫通して建物２内部の排水設備からの排水を建物外部に排出する排水管配管構造であって、該排水管１２の該基礎コンクリート層１３を貫通する部分はさや管１５内に挿通されており、該さや管１５は建物２外側開口端１５Ａから上方に弯曲して建物２内側開口端１５Ｂが該基礎コンクリート１３上面１３Ａに開口した状態に設定されており、該さや管１５内において該排水管１２の外寄り部分は可撓管１２Ａで構成されており、該可撓管１２Ａの内端には屋内側ソケット１７を介して直管１２Ｂが接続されており、更に該直管１２Ｂには継手を介して屋内排水管１２が接続されており、該可撓管１２Ａの外端には屋外側ソケット１６を介して屋外排水管１２が接続されている建物の排水管１２配管構造を提供するものである。
【発明の効果】
【０００７】
〔作用〕
排水管１２はさや管１５内において外寄部分が可撓管１２Ａにされているから、さや管１５の弯曲に対応することが出来る。該さや管１５内において該可撓管１２Ａの内端には屋内側ソケット１７を介して直管１２Ｂが接続されているから、その分該可撓管１２Ａの長さが短縮されるから、該可撓管１２Ａ部分をさや管１５内に挿入する場合、該可撓管１２Ａが弯曲したり折曲しにくいので、挿通作業が簡単容易になる。該直管１２Ｂであれば切断して長さを調節する作業が容易に出来る。
【０００８】
〔効果〕
本発明は建物内から建物外へ排水を排出する排水管の配管作業が容易に出来る。
【図面の簡単な説明】
【０００９】
図１〜図６は本発明の一実施例を示す説明図である。
【図１】排水管配管構造の説明断面図。
【図２】さや管屋内側端部分の詳細説明断面図。
【図３】屋内側ソケットの斜視図。
【図４】さや管屋外側端部分の詳細説明断面図。
【図５】屋外側ソケットの斜視図。
【図６】屋外側固定ナットの斜視図。
【図７】従来の建物の排水経路を示す配管図。
【図８】従来の排水管配管構造で説明断面図。
【発明を実施するための形態】
【００１０】
本発明を図１〜図６に示す一実施例によって説明すれば、建物２内において集水ます１１から差出される排水管１２は建物床下基礎コンクリート１３に埋設されているさや管１５を通って建物外側の排水管１２に地表ＧＬより下位において接続する。
【００１１】
該さや管１５は建物２の外側開口端１５Ａから上方に弯曲して建物２の内側開口端１５Ｂが該基礎コンクリート１３上面１３Ａから突出した状態に設定されている。さや管１５の外側開口端１５Ａの側に水平部分を設けても良い。また、内側開口端１５Ｂを基礎コンクリート１３上面１３Ａと面一にしても良い。
【００１２】
該さや管１５内において、該排水管１２の外寄り部分は可撓管１２Ａで構成されており、該可撓管１２Ａの内端には図２に示すように屋内側ソケット１７を介して直管１２Ｂが接続されている。図２および図３に示すように該屋内側ソケット１７の可撓管側端部外周にはねじ部１７Ａが形成されており、直管側端部外周にはリブ１７Ｂが形成され、内周中央部にはストッパー１７Ｃが突設されており、該可撓管１２Ａと該屋内側ソケット１７の可撓管側とは固定ナット１９のフランジ１９Ａを該可撓管１２Ａに装着した樹脂製ストッパーリング２０に引掛け、更に該屋内側ソケット１７のねじ部１７Ａに螺着締付けることによって固定されている。更に該直管１２Ｂと該さや管１５との間にはシールリング２１を介在させることによってそれより内側の水密性を確保している。
【００１３】
該可撓管１２Ａの外端は図４に示すように屋外側ソケット１６を介して屋外側の排水管１２が接続されている。図４および図５に示すように該屋外側ソケット１６の両端部外周にはねじ部１６Ａ，１６Ｂが形成されており、内周中央部にはストッパー１６Ｃが突設されており、該可撓管１２Ａと該屋外側ソケット１６の可撓管側とは固定ナット２２のフランジ２２Ａを該可撓管１２Ａに装着した樹脂製ストッパーリング２３に引掛け、更に該屋外側ソケット１６のねじ部１６Ｂに螺着締付けることによって固定されており、更に該屋外側ソケット１６の建物２から外出した屋外側端部のねじ部１６Ａには位置決めナット２４が螺着締付けられている。そして該可撓管１２Ａの外端は、屋外側ソケット１６を介して該位置決めナット２４によってフランジ２４Ａを建物床下基礎コンクリート層１３、又は、さや管１５の端面に押し当てることで、さや管１５開口に対して位置決め固定されている。該位置決めナット２４は図６に示すように内端にフランジ２４Ａおよび外周にリブ２４Ｂが設けられており、内周には断続的にねじ溝２４Ｃが形成されている。該位置決めナット２４の螺着締付けには該リブ２４Ｂを手掛りとする。なお該可撓管１２Ａと該屋外側および屋内側ソケット１６，１７との間にはシールリング２５，２６によってシールされている。
【００１４】
上記配管構造を配管施工するには、例えば可撓管１２Ａの一端に屋内側ソケット１７を介して鋸等の簡単な工具で切断することによって所定長に調節した直管１２Ｂを接続し、該直管１２Ｂの外周にはシールリング２１を装着し、他端に屋外側ソケット１６を装着する（工程２）。該直管１２Ｂは可撓管１２Ａのように不安定形状ではないので切断作業は容易である。また、継手２７を介して排水管１２と容易に接着接合出来る。このような直管１２Ｂ−屋内側ソケット１７−可撓管１２Ａ−屋外側ソケット１６を接続したセットを屋内側からさや管１５に挿通する。この際には屋外側ソケット１６を先頭にする。該可撓管１２Ａは直管１２Ｂを接続した分短くなっているから、さや管１５に挿通する際弯曲したり折曲しにくいので、挿通作業は容易に出来る。また該直管１２Ｂの外周には予めシールリング２１を装着してあるので、該セットを該さや管１５に挿通すると同時に該直管１２Ｂと該さや管１５との間が該シールリング２１によってシールされることになる（工程３）。該直管１２Ｂには継手２７を介して屋内側の排水管１２が接続されるが該直管１２Ｂは該シールリング２１によってさや管１５内に固定されているので、屋内側排水管１２の接続作業が容易になる。
【００１５】
その後該屋外側ソケット１６の屋外端に設けられたねじ部１６Ａに対して位置決めナット２４を螺着締付ける。該可撓管１２Ａの屋外端側は該屋外側ソケット１６を介して該位置決めナット２４によって位置決め固定されており、可撓管１２Ａの外端のさや管１５開口に対する角度決めが可能となるため、該屋外側ソケット１６に屋外側排水管１２を接続する作業は容易に出来る。
【００１６】
結果として、位置決めナット２４をシールリング２１との二点固定になるため、可撓管１２Ａおよび直管１２Ｂがさや管１５の中で安定する。
【００１７】
本発明では、さや管１５と排水管１２とのシール構造は、位置決めナット２４とさや管１５又は床基礎コンクリート層１３との間に設けても良い。また、可撓管１２Ａやソケット１６，１７とさや管１５との間に設けても良い。
【００１８】
シールリング２１としては、ゴム製パッキンやオーリングが好ましい。この種のシールリング２１を直管１２Ｂに装着しておくと、シール材の取付け作業を別途行う必要がなくなり、また、シール剤の充填作業が不要となる点で好適である。
【００１９】
本実施例の場合には、シールリング２１をさや管１５の屋内側としたので、可撓管１２Ａおよび直管１２Ｂをさや管１５に挿入する際の圧入距離が短く、圧入力が小さくて済む点で好ましい。また、直管１２Ｂとさや管１５との間でシールしており、さや管１５と排水管１２との間の隙間が不均一となる弯曲部ではなく、該隙間が均一になりやすい直線部でシールすることになるから、シール性を高めることが出来る。
【産業上の利用可能性】
【００２０】
本発明では建物内の排水配管が簡単かつ容易な作業で出来るから、産業上利用可能である。
【符号の説明】
【００２１】
２          建物
１２        排水管
１２Ａ      可撓管
１２Ｂ      直管
１３        床下基礎コンクリート層
１４        公共ます
１５        さや管 
１５Ａ      外側開口端
１５Ｂ      内側開口端
１６，１７  ソケット 
２１        シールリング
２４        位置決めナット
２７        継手
【図１】
2011038397.tif 000003
【図２】
2011038397.tif 000004
【図３】
2011038397.tif 000005
【図４】
2011038397.tif 000006
【図５】
2011038397.tif 000007
【図６】
2011038397.tif 000008
【図７】
2011038397.tif 000009
【図８】
2011038397.tif 000010